(57)【要約】  記録媒体及び記録媒体のデータ記録再生方法及び装置を提供する。記録媒体のデータ領域を管理するデータ構造を有する記録媒体は、記録媒体への論理的上書きを管理する情報を含む１又は複数の物理的アクセス制御（ＰＡＣ）クラスタを含み、ＰＡＣクラスタのそれぞれは、ＰＡＣクラスタのそれぞれに共通するＰＡＣヘッダ及びＰＡＣクラスタ固有の情報を含むＰＡＣ特定情報領域を含み、ＰＡＣヘッダは、記録媒体の使用者データ領域内の１又は複数のセグメント領域を識別するセグメント情報を含む。
2007531194.tif 000002
【特許請求の範囲】
【請求項１】
記録媒体のデータ領域を管理するデータ構造を有する記録媒体であって、
前記記録媒体への論理的上書きを管理する情報を含む１又は複数の物理的アクセス制御（ＰＡＣ）クラスタを含み、
前記ＰＡＣクラスタのそれぞれは、
前記ＰＡＣクラスタのそれぞれに共通するＰＡＣヘッダと、
前記ＰＡＣクラスタ固有の情報を含むＰＡＣ特定情報領域と、を含み、
前記ＰＡＣヘッダは、前記記録媒体の使用者データ領域内の１又は複数のセグメント領域を識別するセグメント情報を含むことを特徴とする記録媒体。
【請求項２】
前記ＰＡＣヘッダは、該当するＰＡＣクラスタを識別するためのＰＡＣ識別情報（ＰＡＣ  ＩＤ）を含むことを特徴とする請求項１に記載の記録媒体。
【請求項３】
前記ＰＡＣ識別情報（ＰＡＣ  ＩＤ）は、論理的上書きＰＡＣを表すように設定されることを特徴とする請求項２に記載の記録媒体。
【請求項４】
前記ＰＡＣクラスタのそれぞれに対する前記ＰＡＣ特定情報領域は、特定機能またはアプリケーションを行うことを特徴とする請求項１に記載の記録媒体。
【請求項５】
前記特定機能またはアプリケーションは、前記記録媒体の領域へのアクセス制御を含むことを特徴とする請求項４に記載の記録媒体。
【請求項６】
前記ＰＡＣクラスタのそれぞれに対する１又は複数の論理的上書きビットをさらに含み、前記１又は複数の論理的上書きビットは、前記記録媒体に対して論理的上書きが許容されるか否かを表すことを特徴とする請求項１に記載の記録媒体。
【請求項７】
前記１又は複数のＰＡＣクラスタは、前記記録媒体への記録再生を試みる装置に知られていないことを特徴とする請求項１に記載の記録媒体。
【請求項８】
前記１又は複数の知られていないＰＡＣクラスタは、未知ＰＡＣルールを含み、前記未知ＰＡＣルールに従って前記装置によって処理されることを特徴とする請求項７に記載の記録媒体。
【請求項９】
前記記録媒体は、追記型記録媒体であることを特徴とする請求項１に記載の記録媒体。
【請求項１０】
記録媒体にデータを記録する方法であって、
前記記録媒体の所定領域に記録され、前記記録媒体への論理的上書きを管理する情報を含む１又は複数の物理的アクセス制御（ＰＡＣ）クラスタを読み出す段階と、
前記情報が、前記記録媒体に対して論理的上書きが許容されることを表すと、前記記録媒体の既に記録された領域に論理的上書きを行う段階と、
を備えることを特徴とする方法。
【請求項１１】
前記ＰＡＣクラスタは、前記記録媒体のリードイン領域及びリードアウト領域内の１又は複数の領域上に記録されることを特徴とする請求項１０に記載の方法。
【請求項１２】
前記ＰＡＣクラスタは、現在のＰＡＣを認識できない記録部の動作範囲を制御する未知ＰＡＣルールフィールドを含むことを特徴とする請求項１０に記載の方法。
【請求項１３】
前記未知ＰＡＣルールフィールドは、論理的上書きを制御する論理的上書きフィールドを含むことを特徴とする請求項１２に記載の方法。
【請求項１４】
前記論理的上書きフィールドに１ビットが割り当てられ、論理的上書きの許容可否を表すようにすることを特徴とする請求項１３に記載の方法。
【請求項１５】
前記論理的上書きフィールドには２ビットが割り当てられ、物理的上書き及び論理的上書きの許容可否を表すようにすることを特徴とする請求項１３に記載の方法。
【請求項１６】
リードイン領域、データ領域及びリードアウト領域が割り当てられた記録媒体において該記録媒体の物理的アクセス制御（ＰＡＣ）情報を記録する方法であって、
前記記録媒体の前記リードイン領域内のＰＡＣ領域を確認する段階と、
前記記録媒体への論理的上書きの許容可否に関する情報を含むＰＡＣクラスタを、前記ＰＡＣ領域内に記録する段階と、
を備えることを特徴とする方法。
【請求項１７】
記録媒体の記録再生装置であって、
前記記録媒体に物理的アクセス制御（ＰＡＣ）情報を保存するメモリと、
前記ＰＡＣ情報のＰＡＣ＿ＩＤを確認し、確認されたＰＡＣ＿ＩＤが識別できないと、前記ＰＡＣ内に記録された未知ＰＡＣルール及びセグメント情報によって論理的上書きを制御するマイクロコンピュータと、
を備えることを特徴とする記録再生装置。
【発明の詳細な説明】
【技術分野】
【０００１】
本発明は、高密度光ディスクに係り、特に、物理的アクセス制御（ＰＡＣ：Physical Access Control）情報が記録された記録媒体へデータを記録し及び記録媒体からデータを再生する方法及び装置に関する。
【背景技術】
【０００２】
大容量のデータを記録できる光ディスクが広く用いられている。かかる光ディスクの中で、高画質のビデオ及び高音質のオーディオデータを長時間記録し保存できる新しい高密度光記録媒体（ＨＤ−ＤＶＤ）、例えば、ブルーレイディスク（Blu-ray disc：以下、“ＢＤ”という）が開発中である。現在、既存のＤＶＤを著しく凌駕するデータ記録ソリューションとして次世代ＨＤ−ＤＶＤ技術のブルーレイディスク（ＢＤ）の世界標準技術仕様が他のデジタル機器と共に開発中である。
【０００３】
ＢＤに関する各種標準が揃ってきており、書き換え可能なブルーレイディスク（ＢＤ−ＲＥ）に引き続いて追記型ブルーレイディスク（ＢＤ−ＷＯ）及び再生専用ブルーレイディスク（ＢＤ−ＲＯＭ）に対する各種標準案が作成されてきている。このような標準化段階の進行中に、近年は、ブルーレイディスク（ＢＤ−ＲＥ／Ｒ／ＲＯＭ）の記録再生方法として、ＢＤ−ＲＥ／Ｒ／ＲＯＭの新しい機能を新しいバージョンで導入しようとする場合に、既存バージョンを支援するドライブにおいて新しいバージョンを支援できないことに起因する問題を解決するために物理的アクセス制御（ＰＡＣ）方法が論議されている。
【発明の開示】
【発明が解決しようとする課題】
【０００４】
したがって、本発明は、上記の従来の問題点を解決するためのもので、記録媒体及び記録媒体へデータを記録再生する方法及び装置を提供する。
【０００５】
本発明の目的は、高密度光ディスク、特に、追記型高密度光ディスクにおいて論理的上書き（Logical Over Write：ＬＯＷ）を制御するＰＡＣを記録する効果的な方法を提供することにある。
【０００６】
本発明の他の目的は、ＰＡＣを用いてデータを記録管理する光記録再生装置を提供することにある。
【０００７】
本発明のさらなる特長が下記の詳細説明から明らかになることは、当該技術分野における通常の知識を持つ者にとっては理解される。本発明の目的及び他の利点は、添付の図面、詳細説明及び特許請求の範囲における記載による構造によって具体化及び把握可能である。
【課題を解決するための手段】
【０００８】
本発明の目的及び他の利点を達成するために、記録媒体のデータ領域を管理するデータ構造を有する記録媒体は、該記録媒体への論理的上書きを管理する情報を含む１又は複数の物理的アクセス制御（ＰＡＣ）クラスタを備え、該ＰＡＣクラスタのそれぞれは、当該ＰＡＣクラスタのそれぞれに共通するＰＡＣヘッダ及び当該ＰＡＣクラスタ固有の情報を含むＰＡＣ特定情報領域を含み、当該ＰＡＣヘッダは、当該記録媒体の使用者データ領域内の１又は複数のセグメント領域を識別するセグメント情報を含む。
【０００９】
本発明の他の形態において、記録媒体にデータを記録する方法は、当該記録媒体の所定領域に記録され、当該記録媒体への論理的上書きを管理する情報を含む１又は複数の物理的アクセス制御（ＰＡＣ）クラスタを読み出す段階と、該情報が、当該記録媒体に対して論理的上書きが許容されることを表すと、当該記録媒体の既に記録された領域に論理的上書きを行う段階と、を含む。
【００１０】
本発明の他の形態において、リードイン領域、データ領域及びリードアウト領域が割り当てられた記録媒体において該記録媒体の物理的アクセス制御（ＰＡＣ）情報を記録する方法は、当該記録媒体のリードイン領域内のＰＡＣ領域を確認する段階と、当該記録媒体への論理的上書き許容可否に関する情報を含むＰＡＣクラスタを、当該ＰＡＣ領域内に記録する段階と、を含む。
【００１１】
本発明の他の形態において、記録媒体の記録再生装置は、該記録媒体に物理的アクセス制御（ＰＡＣ）情報を保存するメモリと、該ＰＡＣ情報のＰＡＣ＿ＩＤを確認し、確認されたＰＡＣ＿ＩＤが識別できないと、当該ＰＡＣ内に記録されたＵｎｋｎｏｗｎ ＰＡＣ Ｒｕｌｅ及びセグメント情報によって論理的上書きを制御するマイクロコンピュータと、を備える。
【００１２】
上記の説明と下記する本発明の詳細な説明は、本発明の理解を助けるために例示されたもので、本発明の範囲は、特許請求の範囲に記載された内容によって定められる。
【発明の効果】
【００１３】
記録媒体の記録再生方法及び装置は、次のような利点を有する。ＰＡＣを用いて従来バージョンのドライブのディスクのアクセス可能な領域の定義は、使用者データが記録されたデータ領域をより確かに保護し、ハッキングのような外部からの不法な接近を遮断するという効果がある。また、ディスク上のセグメント領域またはデータ領域全体を管理するＰＡＣは、高密度光ディスクへの効率的な記録再生を許容する。最後に、論理的上書き領域のアクセスを制御する方法及び論理的上書きを制御する方法を提案することによって、高密度光ディスクがデータを效率的に記録再生することができる。
【発明を実施するための最良の形態】
【００１４】
以下、添付の図面を参照しつつ、本発明の詳細動作及び構造について詳細に説明する。図面中、同一の構成要素及び部分には、可能かぎり同一の参照番号及び符号を付する。本発明で用いられる用語は、可能なかぎり現在広く使われている一般の用語としたが、特定の場合は、出願人が任意に選定した用語もあり、その場合には該当する発明の説明部分でその意味を詳細に記載したので、単純な用語の名称ではなく用語の有する意味として本発明を把握してほしい。
【００１５】
図１は、本発明による高密度光ディスク上のＰＡＣ領域を示す図である。
【００１６】
図１を参照すると、高密度ディスクは、ディスクの内周から外周方向へ、リードイン（lead-in）領域、データ領域、及びリードアウト（lead-out）領域が区分して割り当てられる。ＩＮＦＯ２領域に割り当てられたＰＡＣ領域をＰＡＣ２領域といい、ＩＮＦＯ１領域に割り当てられたＰＡＣ領域をＰＡＣ１領域という。ＰＡＣ２領域及びＰＡＣ１領域のいずれか一方には、オリジナルＰＡＣが記録され、他の一方は、オリジナルＰＡＣの複写本が記録されるバックアップ（back-up）領域として用いられる。ディスクの内周から外周への記録方向を考慮する時、オリジナルＰＡＣがＰＡＣ２領域に記録され、バックアップＰＡＣがＰＡＣ１領域に記録されることが好ましい。ＰＡＣ領域は、従来バージョンのドライブが、新しいバージョンのドライブにおいて追加される機能を認識できない時に発生しうる問題点を解決するための領域で、“ｕｎｋｎｏｗｎ  ｒｕｌｅ”を有する。
【００１７】
“ｕｎｋｎｏｗｎ  ｒｕｌｅ”には、ディスク上の予測可能な動作、すなわち、読み出し、書き込みなどの基本的な制御をはじめ、欠陥領域の線形的代替（linear replacement）、論理的上書き（logical overwrite）などの制御のための規則が定義される。したがって、“ｕｎｋｎｏｗｎ  ｒｕｌｅ”が適用されるディスク上の領域が提供され、この領域には、ディスク全体またはディスクの一定部分を定義するセグメントがあり、これに関する詳細な事項は後述する。したがって、“ｕｎｋｎｏｗｎ  ｒｕｌｅ”を通じて従来バージョンのドライブがアクセス可能な領域を定義してくれることから、新しいバージョンの光ディスクドライブは、従来バージョンのドライブの不必要なアクセス動作を減らすようになる。
【００１８】
また、このようなＰＡＣを通じて従来バージョンのドライブのためのディスクの物理的領域にアクセス可能な領域を定義することによって、使用者データの記録されたデータ領域をより確かに保護し、ハッキングのような外部からの不正アクセスを遮断可能になる。次に、リードイン領域内にＰＡＣ２及びＰＡＣ１領域を有するＩＮＦＯ２領域及びＩＮＦＯ１領域を高密度光ディスクの記録可能な特性について説明する。
【００１９】
図２は、本発明による高密度光ディスク上のＩＮＦＯ２領域及びＩＮＦＯ１領域の構成を示す図である。図２を参照すると、高密度光ディスクのうちＢＤ−ＲＥの場合、ＩＮＦＯ２領域は、３２クラスタのＰＡＣ２領域と、欠陥管理のための３２クラスタのＤＭＡ（defect management area）２領域と、制御情報の記録された３２クラスタの制御データ（ＣＤ）２領域と、バッファ領域である３２クラスタのバッファ領域（ＢＺ）３領域とを含め２５６クラスタを有する。ＩＮＦＯ１領域は、バッファ領域である３２クラスタのＢＺ２領域と、ドライブ固有の特定情報を保存するためのドライブ領域である３２クラスタのドライブ領域と、欠陥管理領域である３２クラスタのＤＭＡ１領域と、制御情報の記録される３２クラスタのＣＤ１領域と、ＰＡＣ領域として用いられるＢＺ１−ＰＡＣ１領域とを含む。
【００２０】
追記型高密度光ディスク（ＢＤ−ＷＯ）の場合には、ＩＮＦＯ２領域は、３２クラスタずつのＰＡＣ２領域、ＤＭＡ２領域、ＣＤ２領域、ＢＺ３領域を含め２５６クラスタを有し、ＩＮＦＯ１領域は、３２クラスタずつのＢＺ２領域、ＤＭＡ１領域、ＣＤ１領域、ＢＺ１−ＰＡＣ１領域、及び１２８クラスタのドライブ領域を含む。再生専用高密度光ディスク（ＢＤ−Ｒ）の場合には、ＩＮＦＯ２領域は、３２クラスタずつのＰＡＣ２領域、ＣＤ２領域、ＢＺ３領域を含め２５６クラスタを有し、ＩＮＦＯ１領域は、３２クラスタずつのＣＤ１領域、ＢＺ１−ＰＡＣ１領域を含め２５６クラスタを有する。したがって、本発明によるＰＡＣ領域は、高密度光ディスクの書き換え可能特性によってリードイン領域内のＩＮＦＯ２領域とＩＮＦＯ１領域に、それぞれ３２クラスタの大きさを有するように割り当てられる。３２クラスタの大きさを有するＰＡＣ領域には、一つのＰＡＣが１クラスタを有する。一つのＰＡＣが１クラスタの大きさで記録される構造を、図３に示す。
【００２１】
図３は、本発明による高密度光ディスク上に記録されたＰＡＣの構造を示す図である。図３を参照すると、１クラスタ（３２セクター）の１ＰＡＣは、ヘッダ領域と光ディスクドライブ固有の特定情報（specific information）領域とを含む。ＰＡＣヘッダ領域は、“ｕｎｋｎｏｗｎ  ＰＡＣ  ｒｕｌｅ”及びセグメントに関する情報などの各種ＰＡＣ情報を記録するためのＰＡＣの第１セクターに割り当てられた３８４バイトを有し、ＰＡＣ領域の残りの領域には“ｋｎｏｗｎ ｒｕｌｅ”と呼ばれる光ディスクドライブ固有の特定情報が記録されている。
【００２２】
上記構造に記録されたＰＡＣの詳細な構造を、図４に示す。本発明の説明において、より詳細な説明を必要とするＰＡＣの特定フィールドは、フィールドを示す図面を参照して説明する。図４は、本発明の一実施例による高密度光ディスク上のＰＡＣの構造を示す図である。図４を参照すると、上述の如く、ＰＡＣは、全てのＰＡＣに適用可能なヘッダ部分（すなわち、全てのＰＡＣに対する共通ヘッダ）及びドライブ固有の特定情報（すなわち、ＰＡＣ特定情報）が記録された領域とを含む。
【００２３】
ヘッダ部分は、４バイトの“ＰＡＣ＿ＩＤ”、４バイトの“ｕｎｋｎｏｗｎ  ＰＡＣ  ｒｕｌｅｓ”、１バイトの“Ｅｎｔｉｒｅ  Ｄｉｓｃ  Ｆｌａｇ”、１バイトの“Ｎｕｍｂｅｒ  ｏｆ  Ｓｅｇｍｅｎｔｓ”及び８バイトずつの３２個のセグメント“Ｓｅｇｍｅｎｔ＿０〜Ｓｅｇｍｅｎｔ＿３１”を含む。“ＰＡＣ＿ＩＤ”は、現在のＰＡＣ状態及び識別コードを提供するフィールドで、“ＰＡＣ＿ＩＤ”が‘００  ００  ００  ００'ビットを有する場合、“ＰＡＣ＿ＩＤ”は、現在のＰＡＣが用いられていないことを表し、“ＰＡＣ＿ＩＤ”が‘ＦＦ  ＦＦ  ＦＦ  ＦＥ’ビットを有する場合、“ＰＡＣ＿ＩＤ”は、現在のＰＡＣ領域が欠陥などの理由で使用不可であることを表す。“ＰＡＣ＿ＩＤ”が‘ＦＦ  ＦＦ  ＦＦ  ＦＦ’ビットを有する場合、“ＰＡＣ＿ＩＤ”は、ＰＡＣ領域が過去に用いられたとしても現在のＰＡＣ領域が再び使用可能であるということを表す。
【００２４】
また、‘５４  ５３  ５４  ００'ビットなどのあらかじめ約束された“ＰＡＣ＿ＩＤ”を記録することによって、“ＰＡＣ＿ＩＤ”は、現在のドライブが自由にアクセス可能なディスクなのかを判断するコードとして用いられる。特に、現在のドライブが、適用された“ＰＡＣ＿ＩＤ”を知らないと、現在のドライブがバージョンのミスマッチングなどの理由で現在のＰＡＣを理解できない場合と判断し、‘５４  ５３  ５４  ００'ビットが、“ｕｎｋｎｏｗｎ  ＰＡＣ  ｒｕｌｅｓ”フィールド上に記録された情報を参照するようにするコードとして用いられる。
【００２５】
また、図４の“Ｅｎｔｉｒｅ  Ｄｉｓｃ  ｆｌａｇ”フィールドは、ＰＡＣがディスクの全体領域に適用可能である旨を知らせるフィールドとして用いられ、“Ｎｕｍｂｅｒ  ｏｆ  Ｓｅｇｅｍｅｎｔｓ”フィールドは、ＰＡＣの適用可能なセグメント領域の数を表すフィールドである。最大３２セグメントが一つのＰＡＣに割り当てられることができ、割り当てられたセグメントに関する情報がそれぞれ８バイトの“Ｓｅｇｍｅｎｔ＿０”から“Ｓｅｇｍｅｎｔ＿３１”までのフィールドに記録される。“Ｓｅｇｍｅｎｔ＿０”から“Ｓｅｇｍｅｎｔ＿３１”フィールドまでのそれぞれには、それぞれ割り当てられたセグメント領域の最初のＰＳＮ及び最後のＰＳＮが記録される。
【００２６】
添付の図面を参照してセグメントについて詳細に説明する。図５は、本発明による高密度光ディスク上のセグメント領域を示す図である。図５を参照すると、本発明による高密度光ディスクでＰＡＣが適用されるセグメント領域は、“Ｓｅｇｍｅｎｔ＿０”から必要に応じて最大３２個が順次割り当てられることができる。この場合、割り当てられたセグメント領域の開始位置を表す最初のＰＳＮ及び割り当てられたセグメント領域の最後の位置を表す最後のＰＳＮを、ＰＡＣ２及びＰＡＣ１領域の“Ｓｅｇｍｅｎｔ”フィールド上に記録することによって、光ディスクドライブはセグメント領域の位置を把握できる。複数の割り当てられたセグメントは重なり合わず、開始及び最後の位置がクラスタ間の境界部に割り当てられる。
【００２７】
上述の如く、“ｕｎｋｎｏｗｎ  ＰＡＣ  ｒｕｌｅｓ”フィールドが、現在のＰＡＣを理解できないドライブの動作範囲を指定するフィールドとして用いられ、これは、図６Ａ及び図６Ｂを参照して説明する。図６Ａ及び図６Ｂは、本発明の一実施例による“ｕｎｋｎｏｗｎ  ＰＡＣ  ｒｕｌｅｓ”フィールドの構成を示している。図６Ａを参照すると、“ｕｎｋｎｏｗｎ  ＰＡＣ  ｒｕｌｅｓ”フィールドを用いて、光ディスク内の複数の領域の制御可否が判定できる。この時、テーブル内の“Ａｒｅａ”は、光ディスク内の制御可能な領域を表す。“Ｃｏｎｔｒｏｌ”は、読み出し／書き込み（または記録／再生）などの制御形態を表し、“Ｎｕｍｂｅｒ  ｏｆ  ｂｉｔｓ”は、制御に必要なビット数を表す。また、“Ｎｕｍｂｅｒ  ｏｆ  ｂｉｔｓ”に加えられたビットは、光ディスクが２個の記録／再生面を有するデュアル光ディスクであることを表す。
【００２８】
例えば、“ＰＡＣ  ｚｏｎｅｓ１，２”フィールドは、ＰＡＣ領域全体で読み出し及び書き込みが制御されうることを表すことができる。“ＤＭＡ  ｚｏｎｅｓ１，２”フィールドは、欠陥管理領域で書き込みが制御されうることを表すことができる。また、“Ｒｅｐｌａｃｅｍｅｎｔ  Ｃｌｕｓｔｅｒｓ”フィールドは、欠陥領域内の代替領域に対する書き込みが制御されうることを表すことができる。また、“Ｄａｔａ  Ｚｏｎｅ”フィールドは、データ領域で読み出しと書き込みが制御されうることを表すことができ、“Ｌｏｇｉｃａｌ  Ｏｖｅｒｗｒｉｔｅ”フィールドは、論理的上書きが制御されうることを表すことができる。
【００２９】
書き込みの制御は、物理的に記録可能な高密度光ディスク（ＢＤ−ＲＥ、ＢＤ−Ｒ）に適用されることができる。同様に、欠陥領域の代替領域に対する書き込みの制御が、物理的に記録可能な高密度光ディスク（ＢＤ−ＲＥ、ＢＤ−Ｒ）に適用されることができる。したがって、本発明の説明は、高密度光ディスクの記録（または、書き込み）特性によって理解すべきである。
【００３０】
上述の方法によって、“ｕｎｋｎｏｗｎ  ＰＡＣ  ｒｕｌｅｓ”フィールドは、バージョンが合わないドライブを使用する際に、光ディスク上に制御可能な領域が指定されるようにするのに用いられることができる。また、上述の方法は、バージョンが合わないドライブだけでなく、使用者の選択によって光ディスク上の物理的領域内の特定領域のアクセス制御（すなわち、本発明の説明では記録／再生制御または書き込み/読み出し制御が混用される）などの目的で適用される。したがって、ディスク上の複数の割り当て可能な領域に対するアクセスの制御のうち、追記型高密度光ディスク内の論理的上書きに対する制御及び論理的上書きされた領域のアクセス制御方法が詳細に説明される。まず、論理的上書きに対する制御方法を説明し、論理的に上書きされた領域のアクセス制御方法及び“Ｌｏｇｉｃａｌ  Ｏｖｅｒｗｒｉｔｅ”フィールドを用いて論理的上書きを制御する方法を説明する（必要によって図６Ａ、図６Ｂ及び７を参照して説明する）。
【００３１】
図７は、本発明による追記型高密度光ディスクの論理的上書き方法を示す図である。図７を参照すると、追記型高密度光ディスクには、リードイン領域、内部スペア領域（ＩＳＡ）、外部スペア領域（ＯＳＡ）及びリードアウト領域が割り当てられる。上述した追記型光ディスク（ＢＤ−ＷＯ）で、データの記録による記録管理情報は、光ディスクを使用する間に必要に応じて何回もアップデートされることができる。したがって、光ディスクのリードイン領域は、何回もアップデートされることができる光ディスクの管理情報が記録される仮ディスク管理領域（ＴＤＭＡ）を含む。ＴＤＭＡは、仮欠陥リスト（ＴＤＦＬ）に記録される。ＴＤＦＬは、実際の欠陥領域または上書きされた領域の位置情報などの管理情報が記録される複数の欠陥リスト（ＤＦＬ）エントリーで構成された欠陥リストを含む。
【００３２】
上述した構造の光ディスクで、データ領域内に記録済み領域が存在すると、該当領域は追記型光ディスクの特性から物理的に上書きされることができない（すなわち、上書きは許容されない）。しかしながら、記録命令が使用者の要求によってａ−ｂ領域（記録済み領域）に記録遂行を要請する場合に、データ領域内の他の領域にデータを代替記録する方法が適用される。したがって、ホストは、ディスク内の特定領域上にデータのオリジナル記録可否によらず記録命令をすることができる。したがって、使用者は、追記型光ディスクを書換可能光ディスクと同じように使用することができる。これは、物理的上書きと区分され、論理的上書き（ＬＯＷ）方法という。
【００３３】
特に、ａ−ｂ領域に記録を行う時、図７に示すように、ａ−ｂ領域が記録済み領域であるため、データは、該当する領域（すなわち、ａ−ｂ領域）に上書きできない。しかしながら、この場合、データは、データ領域内のスペア領域（すなわち、ｃ−ｄ領域）に代替記録される。該当の管理情報は、光ディスクのＴＤＭＡ内のＴＤＦＬ情報として記録されて記録を完了する。この場合、必要な上書き管理情報は、ＣＲＤ（consecutive re-allocation defect）タイプと同様に処理される。すなわち、物理的記録済みａ−ｂ領域は欠陥領域と見なされ、欠陥ａ−ｂ領域に記録されるデータは、スペア領域に代替記録される。
【００３４】
ＣＲＤタイプの場合、ＴＤＭＡに記録された管理情報は、２個のＤＦＬエントリーを用いて表現（または、記載）できる。図７に示すように、代替記録に対する情報は、それぞれのエントリーに対する情報のタイプとして２個のエントリーのいずれかに対して“ｓｔａｔｕｓ  １”フィールドに記録される（例えば、‘００００'は、代替記録が正常に完了したＲＡＤ（Re-Allocation Defect）タイプまたはＣＲＤタイプのＤＦＬエントリーを表し、‘０００１'は、該当領域が欠陥領域であるにもかかわらず代替領域が指定されなかったＮＲＤ（Non-Reallocatable Defect）タイプのＤＦＬエントリーを表す）。欠陥を有するクラスタの位置情報が“Ｄｅｆｅｃｔｉｖｅ  Ｃｌｕｓｔｅｒ  ｆｉｒｓｔ  ＰＳＮ”フィールドに記録される。ここで、位置情報は、該当クラスタの最初の物理的セクターナンバー（ＰＳＮ）として記録される。
【００３５】
“ｓｔａｔｕｓ  ２”フィールドには、“ｓｔａｔｕｓ  １”フィールドでのように、各ＤＦＬエントリータイプと属性に関する情報が記録される（例えば、‘００００'は、一個のクラスタに欠陥が発生した場合を表し、‘０００１'は、複数の連続的な欠陥クラスタの開始を表し、‘００１０'は、複数の連続的な欠陥クラスタの最後を表す）。また、欠陥領域がスペア領域に代替記録される領域の位置情報が“Ｒｅｐｌａｃｅｍｅｎｔ  Ｃｌｕｓｔｅｒ  ｆｉｒｓｔ  ＰＳＮ”（代替クラスタファーストPSN）フィールドに記録される。ここで、位置情報は、該当するクラスタの最初の物理的セクターナンバー（ＰＳＮ）として記録される。また、他のエントリーを用いて、それぞれのＤＦＬエントリーのタイプに関する情報が“ｓｔａｔｕｓ  １”(ステータス１)及び“ｓｔａｔｕｓ  ２”（ステータス２）フィールドに表現（または、記載または記録）される（特に、複数の連続的な欠陥クラスタと代替クラスタの最後を表す‘００１０'ビットは、‘ｓｔａｔｕｓ  ２'フィールドに記録される）。欠陥を有するクラスタの位置情報のうち、最後のクラスタの最初の物理的セクターナンバー（ＰＳＮ）が“Ｄｅｆｅｃｔｉｖｅ  Ｃｌｕｓｔｅｒ  ｆｉｒｓｔ  ＰＳＮ”（欠陥クラスタファーストPSN）フィールドに記録される。また、欠陥領域のスペア領域内の代替記録領域の位置情報の中で最後のクラスタの最初のＰＳＮが“Ｒｅｐｌａｃｅｍｅｎｔ  Ｃｌｕｓｔｅｒ  ｆｉｒｓｔ  ＰＳＮ”（代替クラスタファーストPSN）フィールドに記録される。
【００３６】
上述した構造を有する本発明によるエントリーフォーマットを使用する論理的上書き方法の例を、図７を参照して説明する。‘００００'は、行われた上書きが最初のＤＦＬエントリー（ＤＦＬエントリー１）の“ｓｔａｔｕｓ  １”フィールドに記録され、欠陥クラスタの最初のＰＳＮである‘ａ'は、“Ｄｅｆｅｃｔｉｖｅ  Ｃｌｕｓｔｅｒ  ｆｉｒｓｔ  ＰＳＮ”フィールドに記録される。また、‘０００１'は、連続的な欠陥クラスタの開始が“ｓｔａｔｕｓ  ２”フィールドに記録され、スペア領域内に代替記録された欠陥領域の代替記録位置の最初のＰＳＮが“Ｒｅｐｌａｃｅｍｅｎｔ  Ｃｌｕｓｔｅｒ  ｆｉｒｓｔ  ＰＳＮ”に記録される。
【００３７】
また、代替記録が完了したことを表す‘００００’は、２番目のＤＦＬエントリー（ＤＦＬエントリー２）の“ｓｔａｔｕｓ  １”フィールドに記録され、欠陥クラスタのうち最後のクラスタの最初のＰＳＮである‘ｂ'は、“Ｄｅｆｅｃｔｉｖｅ  Ｃｌｕｓｔｅｒ  ｆｉｒｓｔ  ＰＳＮ”フィールドに記録される。また、連続的な欠陥クラスタの最後を表す‘００１０'は、“ｓｔａｔｕｓ  ２”フィールドに記録され、スペア領域内に代替記録された欠陥領域の代替記録位置の最後のクラスタの最初のＰＳＮである‘ｄ'は、“Ｒｅｐｌａｃｅｍｅｎｔ  Ｃｌｕｓｔｅｒ  ｆｉｒｓｔ  ＰＳＮ”フィールドに記録される。したがって、以降使用者の要求によってホストなどがａ−ｂ領域の再生を要求する場合、ＴＤＭＡに記録された上述した情報を参照してｃ−ｄ領域が代替再生される。
【００３８】
本発明による上述した論理的上書き方法において、記録済み領域は、セグメント領域（例えば、セグメント０）として割り当てられた領域である。したがって、上述の如く、上書き領域がセグメント領域として割り当てられる場合、または、ディスク全体領域に対するｕｎｋｎｏｗｎ  ＰＡＣ  ｒｕｌｅが適用される場合、たとえ物理的にａ−ｂ領域に記録されるデータがｃ−ｄ領域に代替記録されても、ホストはデータがａ−ｂ領域に上書きされたと認識する。したがって、ｃ−ｄ領域は、セグメント０領域に適用されたＰＡＣによって制御されるアクセス制御の内容と同様に処理されるように定義される（ここで、説明の便宜上、データの記録されたａ−ｂ領域は論理的上書きのための領域とし、ｃ−ｄ領域は論理的上書きされた領域とする）。
【００３９】
特に、例えば、上位バージョンのドライブからデータが記録されたディスクが、下位バージョンのドライブにローディングされた場合と同様に、現在のドライブが、認識されたＰＡＣ＿ＩＤを知らない場合、ｕｎｋｎｏｗｎ  ＰＡＣ  ｒｕｌｅが適用されるディスク上の領域であるセグメント領域（または、全体ディスク）は、論理的上書き領域を含む。したがって、論理的上書きデータがセグメント領域と異なる別のスペア領域に物理的に記録されても、論理的上書き領域は、該当のセグメント領域のｕｎｋｎｋｏｗｎ  ＰＡＣ  ｒｕｌｅによって制御されるアクセス制御の内容と同一に処理される。
【００４０】
一方、本発明によれば、バージョンの合わないドライブを使用するとき、論理的上書きを制限する情報がＰＡＣのｕｎｋｎｏｗｎ  ＰＡＣ  ｒｕｌｅに定義され、これを、図６Ａ及び６Ｂを参照して説明する。まず、図６Ａを参照すると、論理的上書きを制限する情報は、“Ｌｏｇｉｃａｌ  Ｏｖｅｒｗｒｉｔｅ”（論理的上書き）フィールドを用いて記録される。したがって、“Ｌｏｇｉｃａｌ  Ｏｖｅｒｗｒｉｔｅ”フィールドに１ビットを割り当てることによって、ビットが‘１’である場合は、ディスク上の記録済み領域に論理的上書きが許容されるということを表し、ビットが‘０'である場合は、記録済み領域に論理的上書きが許容されないということを表す。したがって、現在のドライブが、挿入された光ディスクのＰＡＣ＿ＩＤを識別できないと、論理的上書きはｕｎｋｎｏｗｎ  ＰＡＣ  ｒｕｌｅの“Ｌｏｇｉｃａｌ  Ｏｖｅｒｗｒｉｔｅ”フィールドに記録されたビットを参照することによって制御される。
【００４１】
図６Ｂは、“Ｌｏｇｉｃａｌ  Ｏｖｅｒｗｒｉｔｅ”フィールドのために２ビットを割り当てる場合を示す。図６Ｂを参照すると、２ビットが“Ｌｏｇｉｃａｌ  Ｏｖｅｒｗｒｉｔｅ”フィールドに割り当てられる。ビット‘００'は、物理的上書きが許容されるということを表し、ビット‘０１’は、光ディスク上の記録済み領域に論理的上書きが許容されるということを表す。また、ビット‘１０'は、光ディスク上の記録済み領域に論理的上書きが許容されないということを表し、ビット‘１１’は、未来使用のために予約されたビットとして残す。特に、図６Ｂの例は、追記型高密度光ディスクの上書きの外、書換可能高密度光ディスク（ＢＤ−ＲＥ）の物理的上書きも考慮したものである。
【００４２】
図８は、本発明の他の実施例による高密度光ディスク上のＰＡＣ構造を示す図である。図８を参照すると、本発明の他の実施例のＰＡＣ構造は、共通ヘッダ部分及び特定ドライブの特定情報領域を含む。ここで、共通ヘッダ部分は、４バイトの“ＰＡＣ＿ＩＤ”フィールド、２バイトの“ｕｎｋｎｏｗｎ  ＰＡＣ  ｒｕｌｅｓ”フィールド、１バイトの“ＰＡＣ  Ｈｅａｄｅｒ  Ｔａｇ”（PACヘッダタグ）フィールド、１バイトの“Ｅｎｔｉｒｅ＿ｄｉｓｃ＿ｆｌａｇ”フィールド、２バイトの“Ｂｙｔｅ  ａｄｄｒｅｓｓ  ｆｏｒ  ｔｈｅ  Ｍａｉｎ  Ｓｅｔ  ｏｆ  Ｓｅｇｍｅｎｔ”（セグメントのメインセットのバイトアドレス）フィールド、２バイトの“Ｎｕｍｂｅｒ  ｏｆ  Ｓｅｇｍｅｎｔｓ  ｄｅｆｉｎｅｄ  ｉｎ  ｔｈｅ  Ｍａｉｎ  Ｓｅｔ（メインセットで定義されたセグメント数）（Ｎ＿Ｍ＿Ｓｅｇｓ）”フィールド、２バイトの“Ｂｙｔｅ  ａｄｄｒｅｓｓ  ｆｏｒ  ｔｈｅ  Ａｄｄｉｔｉｏｎａｌ  Ｓｅｔ  ｏｆ  Ｓｅｇｍｅｎｔｓ”（セグメントの付加セットのバイトアドレス）フィールド、及び２バイトの“Ｎｕｍｂｅｒ  ｏｆ  Ｓｅｇｍｅｎｔｓ  ｄｅｆｉｎｅｄ  ｉｎ  ｔｈｅ  Ａｄｄｉｔｉｏｎａｌ  Ｓｅｔ（付加セットで定義されたセグメント数）（Ｎ＿Ａ＿Ｓｅｇｓ）”フィールドを含む。また、特定ドライブの特定情報領域は“Ｕｎｕｓｅｄ  Ｐａｒｔ  ｉｎ  ｔｈｅ  ｓｐｅｃｉｆｉｃ  ＰＡＣ”（特定PACの未使用部）フィールドを含む。
【００４３】
上述したＰＡＣ構造で、２バイトは、“ｕｎｋｎｏｗｎ  ＰＡＣ  ｒｕｌｅｓ”フィールドのために割り当てられ、メインセグメントセット及び付加的なセグメントセットが含まれる。特に、３２個のセグメント領域に追加的にセグメント領域をさらに割り当てようとする場合に用いられる付加的なセグメントセットを残す。このため、“Ｎｕｍｂｅｒ  ｏｆ  Ｓｅｇｍｅｎｔｓ  ｄｅｆｉｎｅｄ  ｉｎ  ｔｈｅ  Ｍａｉｎ  Ｓｅｔ（Ｎ＿Ｍ＿Ｓｅｇｓ）”フィールドによって定義されたメインセグメントの数が記録され、その開始位置が“Ｂｙｔｅ  ａｄｄｒｅｓｓ  ｆｏｒ  ｔｈｅ  ｍａｉｎ  Ｓｅｔ  ｏｆ  Ｓｅｇｍｅｎｔｓ”フィールドに記録される。すなわち、“Ｂｙｔｅ  ａｄｄｒｅｓｓ  ｆｏｒ  ｔｈｅ  ｍａｉｎ  Ｓｅｔ  ｏｆ  Ｓｅｇｍｅｎｔｓ”フィールドに記録された情報は、定義されたメインセグメント領域が、ポインタとしての役割を行うようになる。また、“Ｎｕｍｂｅｒ  ｏｆ  Ｓｅｇｍｅｎｔｓ  ｄｅｆｉｎｅｄ  ｉｎ  ｔｈｅ  Ａｄｄｉｔｉｏｎａｌ  Ｓｅｔ（Ｎ＿Ａ＿Ｓｅｇｓ）”フィールドによって定義された付加的なセグメントの数が記録され、その開始位置が“Ｂｙｔｅ  ａｄｄｒｅｓｓ  ｆｏｒ  ｔｈｅ  Ａｄｄｉｔｉｏｎａｌ  Ｓｅｔ  ｏｆ  Ｓｅｇｍｅｎｔｓ”フィールドに記録される。一つのクラスタの大きさで記録されるＰＡＣ領域で、付加的なセグメント領域は、Ｎ＿Ａ＿Ｓｅｇｓ領域に割り当てられた特定ＰＡＣに未使用部分を含む。上述したＰＡＣ構造を使用すると、３２個のセグメント領域に加え、さらなるセグメント領域が必要によって管理されることができる。
【００４４】
上述の如く、２バイトの“ｕｎｋｎｏｗｎ  ＰＡＣ  ｒｕｌｅｓ”フィールドが、現在のＰＡＣを理解できないドライブの動作範囲を指定するフィールドとして用いられ、これは、図９Ａ及び９Ｂに示されている。特に、図９Ａ及び９Ｂは、本発明の他の実施例による“ｕｎｋｎｏｗｎ  ＰＡＣ  ｒｕｌｅｓ”の構成を示す。まず、図９Ａを参照すると、“ｕｎｋｎｏｗｎ  ＰＡＣ  ｒｕｌｅｓ”フィールドは、１バイトを用いてＰＡＣ領域への読み出し／書き込みに対する制御、１バイトを用いてＰＡＣ領域への読み出し／上書きに対する制御、及び１バイトを用いて本発明による論理的上書きの制御に対する内容を表す。
【００４５】
特に、１ビットについて、論理的上書きのために割り当てられてビット‘１'は論理的上書きが許容されるということを表し、ビット‘０’は論理的上書きが許容されないということを表す。また、図９Ｂを参照すると、“ｕｎｋｎｏｗｎ  ＰＡＣ  ｒｕｌｅｓ”フィールドは、“Ｌｏｇｉｃａｌ  Ｏｖｅｒｗｒｉｔｅ”フィールドのために２ビットを割り当てる。ここで、ビット‘００'は物理的上書きが許容されるということを表し、ビット'０１'は論理的上書きが許容されるということを表す。また、ビット‘１０’は論理的上書きが許容されないということを表し、ビット‘１１’は未来使用のために予約されたビットであることを表す。上述した例はまた、書き換え可能高密度光ディスク（ＢＤ−ＲＥ）に適用される。
【００４６】
図１０は、本発明による光記録再生装置のブロック図である。図１０を参照すると、光記録再生装置は、光ディスクへ記録再生を行う記録再生部１０、及び記録再生部１０を制御するホストまたはコントローラ２０を備える（ここで、記録再生部１０は“光ディスクドライブ”とも呼ばれる。）
特に、ホスト２０は、記録再生部１０に光ディスクの特定領域への記録または再生命令を送り、記録再生部１０は、ホスト２０の命令に応答して特定領域への記録再生を行う。記録再生部１０は、ホスト２０とデータ及び命令の交換などの通信を行うインターフェース部１２と、光ディスクへデータを直接記録し、又は光ディスクからデータを読み出すピックアップ１１と、ピックアップ１１から読み出された信号を受信して所望の信号値に復元する、または、記録される信号を光ディスクに記録される信号に変調して伝達するデータプロセッサ１３と、光ディスクから正確に信号を読み出す、または、光ディスクに信号を正確に記録するためにピックアップ１１を制御するサーボ１４と、管理情報を含む諸情報及びデータが一時保存されるメモリ１５と、記録再生部１０内の構成要素の制御を担当するマイクロコンピュータ１６と、を備える。
【００４７】
以下、光記録再生装置を用いて高密度記録可能光ディスク上にＰＡＣを記録する方法について説明する。光記録再生装置に光ディスクを挿入すると、全ての管理情報が光ディスクから読み出されて記録再生部１０のメモリに保存され、これらの管理情報は、光ディスクの記録再生時に用いられる。ここで、使用者が光ディスクの特定領域に記録を希望する場合、ホスト２０は、使用者の希望を記録命令と見なし、所望の記録位置に対する情報を、記録されるデータセットと一緒に記録再生部１０に提供する。
【００４８】
記録再生部１０内のマイクロコンピュータ１６は、記録命令を受信し、メモリ１５に保存された管理情報から、ホスト２０が記録しようとする光ディスクの領域が欠陥領域なのかを判定し、欠陥領域でない領域上にホスト２０からの記録命令によるデータ記録を行う。この場合、ディスク全体または特定領域への記録が従来バージョンの記録再生部にない新しい機能を含んでおり、従来バージョンの記録再生部が認識できないと判断される場合、または、使用者の要求に応じたディスク上の特定領域の記録または再生などの機能を制限しようとする場合、記録再生部１０のマイクロコンピュータ１６は、領域に関する制御情報をディスク上のＰＡＣ領域に“Ｕｎｋｎｏｗｎ  ＰＡＣ  ｒｕｌｅ”として記録する。
【００４９】
このとき、上述のように記録されるＰＡＣが、ディスク全体領域に対する制御情報である場合、“Ｅｎｔｉｒｅ  Ｄｉｓｃ  Ｆｌａｇ”フィールドが記録される。ディスク内の一定領域である１又は複数のセグメント領域が割り当てられ、領域全体に対するアクセス制御をしようとする場合、“Ｎｕｍｂｅｒ  ｏｆ  Ｓｅｇｍｅｎｔ”フィールドに割り当てられたセグメント領域の数を記録し、“ｕｎｋｎｏｗｎ  ＰＡＣ  ｒｕｌｅｓ”の“Ｄａｔａ  Ｚｏｎｅ”フィールドにアクセスが許容されているかに対する制御情報が記録される。また、セグメント領域のそれぞれに対して個別的な制御を希望する場合、“Ｓｅｇｍｅｎｔ”フィールドにその制御内容及び該当するセグメント領域の位置情報を記録する。特に、ホスト２０が、バージョンの合わないドライブのために論理的上書きに対する制御内容を記録しようとする場合、“Ｕｎｋｎｏｗｎ  ＰＡＣ  Ｒｕｌｅ”フィールドの“Ｌｏｇｉｃａｌ  Ｏｖｅｒｗｒｉｔｅ”フィールドに該当の制御内容を記録する。ここで、ＰＡＣが一つのクラスタ大きさのＰＡＣ２領域のＩＮＦＯ２領域に記録され、ＰＡＣとコピーＰＡＣをバックアップ用としてＰＡＣ１領域のＩＮＦＯ１領域に記録する。したがって、マイクロコンピュータ１６は、データが記録される領域またはＰＡＣ領域の位置情報とデータを、サーボ１４とデータプロセッサ１３に提供し、ピックアップ１１を介して光ディスク上の希望の位置へ記録が完了できるようにする。一方、上述した方法によって記録されたＰＡＣ情報を有する高密度光ディスクを記録再生する方法について説明する。光記録再生装置に光ディスクを挿入すると、全ての管理情報が光ディスクから読み出されて記録再生部１５のメモリに保存され、これらの管理情報は、光ディスクの記録再生時に用いられる。メモリ１０内の情報は、ディスク上のＰＡＣ領域を含む各種領域の位置情報を含む。以降、ＰＡＣ領域のＰＡＣのＰＡＣ＿ＩＤフィールドを確認し、ＰＡＣ＿ＩＤが認識可能なＰＡＣ＿ＩＤなのかを確認する。確認結果、記録されたＰＡＣ＿ＩＤが認識可能である場合、ディスクにデータを記録した記録再生部が現在の記録再生部のバージョンと同じバージョンを有する場合と判断する、または、別の記録再生制限がないものと判断し、ホスト２０からの命令によって記録再生が行われる。
【００５０】
ＰＡＣ＿ＩＤ上に記録されたコードを認識できない場合、ディスク上にデータを記録した記録再生部が現在の記録再生部のバージョンと異なるバージョンを有する等の理由による制限があるものと判断し、“Ｕｎｋｎｏｗｎ  ＰＡＣ  ｒｕｌｅ”及び“Ｓｅｇｍｅｎｔ”上に記録されたディスク上の記録再生制限領域を参照し、ホストからの命令によって記録再生が行われる。この場合、論理的上書き及びデータが論理的上書きされた領域に対する制御動作が行われる。このため、マイクロコンピュータ１６は、ホストの命令による位置情報及びデータをサーボ１４及びデータプロセッサ１３に提供し、ピックアップ１１を介して光ディスク上の所望の位置において記録再生が完了できるようにする。
【００５１】
本発明の思想または範囲を逸脱しない限度内で当業者による様々な変形が可能であることは言うまでもない。したがって、本発明は、添付の特許請求の範囲及びこの特許請求の範囲の均等物内の変形を含む。
【図面の簡単な説明】
【００５２】
【図１】本発明による高密度光ディスク上のＰＡＣ領域を示す図である。
【図２】本発明による高密度光ディスク上のＩＮＦＯ２領域及びＩＮＦＯ１領域の構成を示す図である。
【図３】本発明による高密度光ディスク上に記録されたＰＡＣを示す図である。
【図４】本発明の一実施例の高密度光ディスク上のＰＡＣ構造を示す図である。
【図５】本発明による高密度光ディスク上のセグメント領域を示す図である。
【図６Ａ】本発明の一実施例による“Ｕｎｋｎｏｗｎ  ＰＡＣ  Ｒｕｌｅｓ”フィールドの構成を示す図である
【図６Ｂ】本発明の一実施例による“Ｕｎｋｎｏｗｎ  ＰＡＣ  Ｒｕｌｅｓ”フィールドの構成を示す図である。
【図７】本発明による追記型高密度光ディスクの論理的上書き方法を示す図である。
【図８】本発明の他の実施例による高密度光ディスク上のＰＡＣ構造を示す図である。
【図９Ａ】本発明の他の実施例による“Ｕｎｋｎｏｗｎ  ＰＡＣ  Ｒｕｌｅｓ”フィールドの構成を示す図である。
【図９Ｂ】本発明の他の実施例による“Ｕｎｋｎｏｗｎ  ＰＡＣ  Ｒｕｌｅｓ”フィールドの構成を示す図である。
【図１０】本発明による光記録再生装置の構成を示すブロック図である。
【図１】
2007531194.tif 000003
【図２】
2007531194.tif 000004
【図３】
2007531194.tif 000005
【図４】
2007531194.tif 000006
【図５】
2007531194.tif 000007
【図６Ａ】
2007531194.tif 000008
【図６Ｂ】
2007531194.tif 000009
【図７】
2007531194.tif 000010
【図８】
2007531194.tif 000011
【図９Ａ】
2007531194.tif 000012
【図９Ｂ】
2007531194.tif 000013
【図１０】
2007531194.tif 000014
【国際調査報告】
2007531194.tif 000015
2007531194.tif 000016